(57)【要約】      （修正有）【課題】人が移動する場所で電気コードを露出させないようにして、危険性を減らして安全性を高め、見映えも良くしたダイニングテーブルを提供する。【解決手段】天板３と支持脚２と天板３に設けられた誘導加熱器４とを有するダイニングテーブル１であって、電気コード５が支持脚２の空洞内を挿通され、天板３下面側を挿通されて前記誘導加熱器４に接続され、前記電気コード５の先端には電源側に接続する接続器具６を有し、前記支持脚２に前記接続器具６を収容する空間部８が設けられたことを特徴とする。【選択図】図１
2007259933.tif 000002
【特許請求の範囲】
【請求項１】
天板と支持脚と天板に設けられた誘導加熱方式の調理器とを有するダイニングテーブルであって、電気コードが支持脚の空洞内を挿通され、天板下面側を挿通されて前記調理器に接続され、前記電気コードの先端には電源側に接続する接続器具が接続され、前記支持脚に前記接続器具を収容する空間部が設けられていることを特徴とするダイニングテーブル。
【請求項２】
前記天板下面側に電気コードを挿通する空間部が形成されていることを特徴とする請求項１に記載のダイニングテーブル。
【請求項３】
前記支柱の空間部に電気コードに接続したコンセントが収容されてなることを特徴とする請求項１又は２に記載のダイニングテーブル。
【請求項４】
前記支持脚の空間部は下部に設けられ、かつ前記接続器具が固定されてなることを特徴とする請求項１ないし３に記載のダイニングテーブル。
【発明の詳細な説明】
【技術分野】
【０００１】
本発明は、ダイニングテーブルに関し、より詳細には誘導加熱方式の調理器に接続する電気コードを通すようにしたダイニングテーブルに関する。
【背景技術】
【０００２】
従来ダイニングテーブルは、ガス器具で使用されることが多かったが、最近は誘導加熱方式の調理器（以下、ＩＨ又は誘導加熱器とする）を使用したダイニングテーブルが増えている。このような誘導加熱器を使用するダイニングテーブルでは、電気コードが使用される。電気コードを電源配電位置から、そのままひくことができ、任意の場所を通せることでは手軽で便利ではあるが、床面上をむき出しで通すと、足を引っかけて転倒したりする危険が増える。
【０００３】
ビジネス用や学習用の机では、最近は、天板上にコンピュータ等のＯＡ機器や通信機器等の電気機器を載置して使用することが多い。この場合、これらの電気機器の電気コードが机の天板上を引き回された状態となるので、天板上が乱雑となり、美観を損なうのみならず、仕事の邪魔にもなるという問題点があった。
【０００４】
このような問題点を改善するものとして、電気コードを整然と配線することができるものや、電気コードが表に出ないようにするもの等、種々の技術が提案されている。これらの提案には、事務用や学習用の机で電気配線を整然として外観を向上させているものがある（例えば特許文献１）。
【特許文献１】特開２００３−２８９９４９号公報
【発明の開示】
【発明が解決しようとする課題】
【０００５】
ところで、ビジネス用や学習用の机は、少なくとも一方は壁等に接して配置され、壁に接する方向では人が出入りしないので、人が出入りしない側に電気コードを引いても、危険性等の問題は生じない。しかしながら、ダイニングテーブルは通常は、四方から使用するようになっており、人が移動する場所で電気コードを露出してそれを引き回すのは、危険である。また、長い電気コードが露出しているのは見映えが良いことではなかった。
【０００６】
本発明は、人が移動する場所で電気コードを露出させないようにして、危険性を減らして安全性を高め、見映えも良くしたダイニングテーブルを提供することを目的とする。
【課題を解決するための手段】
【０００７】
上記課題を解決するため、請求項１に記載の本発明にかかるダイニングテーブルは、天板と支持脚と天板に設けられた誘導加熱方式の調理器とを有するダイニングテーブルであって、電気コードが支持脚の空洞内を挿通され、天板下面側を挿通されて前記調理器に接続され、前記電気コードの先端には電源側に接続する接続器具が接続され、前記支持脚に前記接続器具を収容する空間部が設けられていることを特徴とする。
【０００８】
請求項２記載の発明に係るダイニングテーブルは、請求項１に記載の発明において前記天板下面側に電気コードを挿通する空間部が形成されていることを特徴とする。
【０００９】
請求項３記載の発明に係るダイニングテーブルは、請求項１又は２に記載の発明において、前記支柱脚の空間部に電気コードに接続したコンセントが収容されてなることを特徴とする。
【００１０】
請求項４記載の発明に係るダイニングテーブルは、請求項１又は２に記載の発明において、前記支持脚の空間部は下部に設けられ、かつ前記接続器具が固定されてなることを特徴とする。
【発明の効果】
【００１１】
請求項１記載の発明によれば、ダイニングテーブルは、電気コードをダイニングテーブル廻りを不必要に引き回さなくて良いから、足を引っかけるおそれがなく安全で、見映えが悪くなるということがない。
【００１２】
請求項２記載の発明によれば、請求項１の効果に加え、安全性をより高めることができる。
【００１３】
請求項３記載の発明によれば、請求項１の効果に加え、取り扱いを容易にし、より安全性を高めることができる。
【００１４】
請求項４記載の発明によれば、請求項１の効果に加え、一層取り扱いを容易にし、より安全性を高めることができる。
【発明を実施するための最良の形態】
【００１５】
以下、本発明の実施の形態について、図面を参照して詳しく説明する。図１は、本実施の形態に係るダイニングテーブルの正面図、図２はその下面図、図３はその支持脚の要部の断面図である。
【００１６】
本実施の形態に係るダイニングテーブル１は４本の支持脚２で支えられた天板３上に誘導加熱器４が設けられている。天板３上の誘導加熱器４に接続して電気コード５が天板３の下面を通されたあと、支持脚２の空洞２ａ内を通されて支持脚２の底面近辺の下端部２ｂにおいて、接続器具６に接続されるようになっている。
【００１７】
支持脚２は、少なくともその１本は電気コード５を通すことができるように空洞２ａを有している。そして、空洞２ａ内部の下端部２ｂ側には仕切部材７が設けられ、その下方に空間部８が形成され、電気の接続器具６が収容されえ、下面に露出するようにされている。
【００１８】
支持脚２の材質は金属、木材、プラスチックのいずれであっても良いし、２種以上の材質のものを組み合わせて空洞２ａを有するように形成したものであっても差し支えない。支持脚２の上端は天板３の下面に取り付けられている。天板３への支持脚２の取り付けの両者の固着は、補助具を用いて固定しても良いし、接着により固定しても、複数の固定方法を組み合わせてしても良い。要は、ダイニングテーブルとして、椅子がけで使用する場合又は座って使用する場合などの、用途に応じた使用ができるように構成されればよい。
【００１９】
天板３の上面には誘導加熱器４がその上面が露出するように埋め込まれて設けられている。また、図示していない誘導加熱器４の操作部材が天板４に設けられている。誘導加熱器４の天板３への埋め込みは必要に応じて、誘導加熱器の表面が天板３の表面より下方になるように設けても良い。また、天板３上面に複数の誘導加熱器４からなる加熱ユニットを設けてもよい。天板３は木製でも、プラスチック製でも差し支えないが、耐熱性が良く装飾性に優れていることが好ましい。
【００２０】
また、天板３の下面に穿設された溝に埋め込まれて電気コード５が挿通され、露出しないようにカバーで覆われている。そして、電気コード５は支持脚２の図示していない挿通穴を通されて、支持脚２の空洞２ａ内に導入されている。電気コード５先端は電気の接続器具６が取り付けられている。接続器具６としては本実施の形態ではプラグが用いられている。
【００２１】
上記の構成のダイニングテーブルを設置して使用する場合には、電源側接続器が設けられている近辺にダイニングテーブル１を配置し、接続器具を接続して電気的に導通させれば、ダイニングテーブル１の誘導加熱器４が使用可能となる。その後、調理器を誘導加熱器４に載せ、電源を入れればよい。
【００２２】
以上の説明から明らかなように、本発明にかかるダイニングテーブル１は、電気機器の電気コードを目立たないように配線することが可能であるから、美観的に優れたものであり、しかもダイニングテーブル廻りを出入りする人が足に引っかけたりする危険を減らすことが可能となった。
【００２３】
なお、本発明は上記実施の形態に限定されないことは勿論である。例えば、上記実施の形態では電気接続器具を支持脚２下面を露出させて、下面から接続するようにしているが、側面に露出させて、電源側接続器具を接続器具６に接近させて電気的に接続するようにしても良い。
【図面の簡単な説明】
【００２４】
【図１】本発明に係るダイニングテーブルの実施の形態を示す正面図である。
【図２】その下面図である。
【図３】その支持脚の要部の断面図である。
【符号の説明】
【００２５】
１  ダイニングテーブル
２  支持脚
２ａ 空洞部
３  天板
４  調理器（誘導加熱器）
５  電気コード
８  空間部
【図１】
2007259933.tif 000003
【図２】
2007259933.tif 000004
【図３】
2007259933.tif 000005